(57)【要約】【課題】撮像手段の機能を用いる第１のモードと、第１の機能とは異なる機能を用いる第２のモードとのうち、いずれのモードを使用するかに応じて、第三者の使用に対して制限を課すことができる携帯型情報端末装置を提供する。【解決手段】携帯型情報端末装置においては、選択されたモードがＣａｍｅｒａ，Ｖｉｅｗ，Ｔｅｌのいずれかのモードである場合（ステップＳ２）、使用者の認証を行わずに、選択されたモード（Ｃａｍｅｒａ，Ｖｉｅｗ，Ｔｅｌのいずれかのモード）を起動し（ステップＳ３）、選択されたモードがＰＤＡモードである場合（ステップＳ２）、使用者の認証を行い、その認証結果に応じてＰＤＡモードを起動する（ステップＳ４，Ｓ５，Ｓ６，Ｓ７）。【選択図】      図６
2004194117.tif 000002
【特許請求の範囲】
【請求項１】
被写体を撮像するための撮像手段を有する携帯型情報端末装置であって、
前記撮像手段の機能を用いる第１のモードと、前記第１の機能とは異なる機能を用いる第２のモードとのいずれか一方を選択するモード選択手段と、
使用者が適正者であるかを認証する認証手段と、
前記モード選択手段により前記第１のモードが選択された場合、前記認証手段を動作させず、前記第２のモードが選択された場合、前記認証手段を動作させるように制御する制御手段と
を備えることを特徴とする携帯型情報端末装置。
【発明の詳細な説明】
【０００１】
【発明の属する技術分野】
本発明は、被写体を撮像するための撮像手段を有する携帯型情報端末装置に関する。
【０００２】
【従来の技術】
従来のデジタルカメラ付き携帯型情報端末装置（以下、携帯機器という）として、特開２０００−２７００６９号公報に提案されているものがある。
【０００３】
この携帯機器の構成について図８および図９を参照しながら説明する。図８は従来の携帯機器（デジタルカメラ付き携帯型情報端末）の外観を示す斜視図、図９は図８の携帯機器の構成を示すブロック図である。
【０００４】
携帯機器は、図８に示すように、カメラ部１および操作部２を備え、カメラ部１と操作部２とはヒンジ部３により連結されている。ヒンジ部３は、互いに直交する回転軸１１および回転軸１２の周りに回転可能な構造を有し、このヒンジ部３により、カメラ部１を操作部２に対して折り畳み可能にしかつ回転可能にする。カメラ部１には、後述する撮像部２００のレンズ１０８およびストロボ１０９と、後述のＰＨＳ部３０３のレシーバ１０６とが設けられている。また、操作部２には、シャッタボタン１０３、キーボード１０４、液晶パネル１０５、およびマイク１０７が設けられている。
【０００５】
この携帯機器の内部構成は、図９に示すように、撮像部２００、制御部２０１、サブ制御部３０２、ＰＨＳ部３０３からなる。撮像部２００は、レンズ１０８および光電変換素子２０４を有する。制御部２０１は、ＣＰＵ２０６、フラッシュメモリ２０７、および液晶パネル１０５を有する。サブ制御部３０２は、Sub ＣＰＵ２０８、シャッタボタン１０３およびキーボード１０４を有する。ＰＨＳ部３０３は、ＣＰＵ３１０、レシーバ１０６およびマイク１０７を有する。
シャッタからなる。
【０００６】
このように構成された携帯機器は、少なくともカメラ機能、電話機能、および、スケジュール帳、電話帳などの個人情報管理機能を実現することが可能である。
【０００７】
カメラ機能を使用する場合、レンズ１０８と光電変換素子２０４によって被写体を撮像し、この撮像された画像は、液晶パネル１０５に表示される。そして、ユーザは、液晶パネル１０５に表示された画像を見ながら、シャッタボタン１０３を押下すれば、所望の画像が取り込まれる。
【０００８】
電話機能を使用する場合は、相手先の電話番号がキーボード１０４から入力される。この際、入力された電話番号は液晶パネル１０５に表示される。そして、入力された電話番号に間違いがなければ、この電話番号への発呼手続きが実行され、相手が呼び出される。相手先が呼び出しに応答すれば、相手先とマイク１０７とレシーバ１０６を用いて通話をすることが可能になる。
【０００９】
個人情報管理機能を使用する場合、必要な操作画面を液晶パネル１０５に表示し、この操作画面上で、キーボード１０４を用いて、登録されている個人情報を読み出し、また個人情報を入力するなどの操作が行われる。これにより、随時、登録されている個人情報の参照、個人情報の登録を行うことができる。
【００１０】
【発明が解決しようとする課題】
しかしながら、上述した従来の携帯機器においては、他人が携帯機器を使用する際に何ら制限を設けていないので、携帯機器に記憶されている個人の住所や電話番号、所有者のスケジュールなど、他人には見られたくない個人情報を他人に見られる恐れがある。
【００１１】
このような問題を解決するために、携帯機器を使用する前に使用者の認証を行う方法が考えられる。しかし、携帯機器を使用する前に、使用者の認証を行う場合、カメラとして使用する場合や、携帯機器本体に記憶されている画像などを見る場合など、他人に使用されても特に問題がないような場合でも、携帯機器を使用する毎に使用者の認証を行うことが必要になり、使用者の認証に手間が掛かり、面倒である。特にカメラとして携帯機器を使用する場合は、使用者の認証を行っている間に、シャッタチャンスを逃す恐れがあると考えられる。
【００１２】
本発明の目的は、撮像手段の機能を用いる第１のモードと、第１の機能とは異なる機能を用いる第２のモードとのうち、いずれのモードを使用するかに応じて、第三者の使用に対して制限を課すことができる携帯型情報端末装置を提供することにある。
【００１３】
【課題を解決するための手段】
本発明は、上記目的を達成するため、被写体を撮像するための撮像手段を有する携帯型情報端末装置であって、前記撮像手段の機能を用いる第１のモードと、前記第１の機能とは異なる機能を用いる第２のモードとのいずれか一方を選択するモード選択手段と、使用者が適正者であるかを認証する認証手段と、前記モード選択手段により前記第１のモードが選択された場合、前記認証手段を動作させず、前記第２のモードが選択された場合、前記認証手段を動作させるように制御する制御手段とを備えることを特徴とする。
【００１４】
【発明の実施の形態】
以下、本発明の実施形態について図面を参照しながら説明する。
【００１５】
（第１実施形態）
図１は本発明の第１実施形態に係る携帯型情報端末装置の外観斜視図、図２は図１のモードダイヤルの拡大斜視図、図３は図２のモードダイヤルで選択可能なモードのそれぞれの機能を示す図、図４は図１の携帯型情報端末装置の電源オン状態での待ち受け画面の一例を示す図、図５は図１の携帯型情報端末装置の構成を示すブロック図である。
【００１６】
携帯型情報端末装置は、図１に示すように、カメラ部１および操作部２を備え、カメラ部１と操作部２とはヒンジ部３により連結されている。ヒンジ部３は、互いに直交する回転軸１１および回転軸１２の周りに回転可能な構造を有し、このヒンジ部３により、カメラ部１を操作部２に対して折り畳み可能にしかつ回転可能にする。カメラ部１には、後述する撮像部２００のレンズ１０８およびストロボ１０９と、後述の携帯電話部２０２のレシーバ１０６とが設けられている。また、操作部２には、電源スイッチ１０１、モードダイヤル１０２、シャッタボタン１０３、キーボード１０４、液晶パネル１０５、マイク１０７および十字キー１１０が設けられている。
【００１７】
モードダイヤル１０２は、図２に示すように、シャッタボタン１０３の周りを回転するダイヤルスイッチからなり、モードダイヤル１０２をＭ１、Ｍ２、Ｍ３、Ｍ４のいずれかの位置に回転すると、モードが対応する位置のモードに切り換えられる。ここで、位置Ｍ１には、カメラ撮影可能なＣａｍｅｒａモードが、位置Ｍ２には、本体に記憶された画像、音声、テキストを表示するＶｉｅｗモード、位置Ｍ３には、電話機能（着信、発信）を実行するためのＴｅｌモードが、位置Ｍ４には、本体に記憶された各種情報の利用、編集、登録を行うことが可能なＰＤＡモードがそれぞれ対応付けられている。
【００１８】
具体的には、図３に示すように、Ｃａｍｅｒａモードは、カメラ部１に設けられているレンズ１０８を介して結像した画像をＣＣＤなどの光電変換素子によって電気信号に変え、必要に応じて本体で画像の処理を加えフラッシュメモリなどの記憶手段に記憶するモードである。また、Ｃａｍｅｒａモードでは、音声を記録することもできる。Ｖｉｅｗモードは、Ｃａｍｅｒａモードで撮影された画像、記録された音声、テキスト情報を選択して再生または表示を行うモードである。Ｔｅｌモードは、通常の携帯電話機としての電話機能を実現するためのモードである。すなわち、Ｔｅｌモードでは、キーボード１０４からの電話番号入力や、液晶パネル１０５への入力番号表示、電話帳表示が可能で、通話はカメラ部１に設けられているレシーバ１０６と、操作部２に設けられているマイク１０７を用いて行われる。ＰＤＡモードは、所有者のスケジュール管理、個人の住所、電話番号、電子メールアドレスなどの登録を行うアドレス帳機能、電子メールの送受信機能、テキスト文書の作成機能、テーマ別、目的別に関連情報をまとめて編集する情報ファイル機能、電卓機能、インターネット接続機能を有するモードである。各機能での文字入力、メニュー選択はキーボード１０４、十字キー１１０を用いて行われ、液晶パネル１０５には様々な情報が表示される。
【００１９】
また、Ｃａｍｅｒａ，Ｖｉｅｗ，Ｔｅｌ，ＰＤＡモードの全てのモードにおいては、電話の着信を受けることが可能である。
【００２０】
本携帯型情報端末装置においては、電源スイッチ１０１が投入されると、図４に示す待ち受け画面が液晶パネル１０５に表示される。この待ち受け画面では、カレンダー情報とモード選択画面が表示され、このモード選択画面には、モードダイヤル１０２で現在選択されているモードが識別可能に表示される。使用者は電源スイッチ１０１で電源を投入した後、待ち受け画面が表示された状態で、モードダイヤル１０２で所望のモードを選択し、キーボード１０４で決定することにより、選択されたモードを起動することができる。
【００２１】
この携帯型情報端末装置の内部構成は、図５に示すように、撮像部２００、制御部２０１、携帯電話部２０２および認証処理部２０３からなる。撮像部２００は、レンズ１０８と、レンズ１０８により投影された画像を電気信号に変換するＣＣＤなどの光電変換素子２０４と、光電変換素子２０４から出力された電気信号をＡ／Ｄ変換し、デジタル化された信号に各種画像処理を施す画像処理部２０５とを有する。
【００２２】
制御部２０１は、ＣＰＵ２０６、フラッシュメモリ２０７、Sub ＣＰＵ２０８、入力装置２０９および液晶パネル１０５を有する。ここで、入力装置２０９は、シャッタボタン１０３、モードダイヤル１０２、キーボード１０４などを含む。制御部２０１は、装置全体を制御するとともに、撮像部２００から入力された画像情報や、携帯電話部２０２から入力された画像情報、音声情報、またはアドレス帳に登録された住所、電話番号などのテキスト情報を記憶することができる。ＣＰＵ２０６は、フラッシュメモリ２０７に格納された情報を必要に応じて読み出し、また消去することができる。Sub ＣＰＵ２０８は、入力装置２０９から入力された信号に応じたコマンドをＣＰＵ２０６に送信する。液晶パネル１０５には、記憶されている画像やテキスト、およびビューファインダとしての撮像部２００からの入力画像表示、様々な条件設定のためのメニュー表示が行われる。
【００２３】
携帯電話部２０２は、ＣＰＵ２１０、レシーバ１０６およびマイク１０７を有する。携帯電話部２０２は、マイク１０７からの信号をデジタル信号に変換してデータ圧縮を行い、また圧縮されている信号を伸長し音声信号に変換した後、レシーバ１０６から出力する。また、携帯電話部２０２は、電子メール機能、インターネット接続に伴うテキストデータ、画像データの送受信を行うことが可能である。受信されたデータは、ＣＰＵ２１０を介して、制御部２０１のＣＰＵ２０６へ送られる。
【００２４】
認証処理部２０３は、入力処理部２１１、記憶装置２１２およびデータ処理部２１３を有する。認証処理部２０３は、ＰＤＡモード選択時またはＰＤＡモードの機能の中で、第三者から保護すべき情報が記憶されている機能を使用する場合に、使用者が適正者であるかの認証を行う。使用者の認証の際には、使用者によって入力装置２０９から入力された信号が入力処理部２１１において使用者情報として処理され、データ処理部２１３は、記憶装置２１２に予め登録されている認証用データを読み出し、この認証用データに基づいて、入力処理部２１１からの使用者情報を処理し、本装置の使用者が適正者であるか否かの認証を行う。このデータ処理部２１３による認証結果は、ＣＰＵ２０６に送られる。
【００２５】
このように、携帯型情報端末装置においては、撮像部２００、制御部２０１、携帯電話部２０２が協働して、Ｃａｍｅｒａ，Ｖｉｅｗ，Ｔｅｌ，ＰＤＡの各モードにおける各機能を実現する。
【００２６】
次に、本携帯型情報端末装置による使用者の認証処理について図６を参照しながら説明する。図６は図１の携帯型情報端末装置の動作手順を示すフローチャートである。図６のフローチャートに示す手順は、制御部２０１（ＣＰＵ２０６）により実行されるものである。
【００２７】
制御部２０１は、図６に示すように、電源スイッチ１０１で電源が投入されると、液晶パネル１０５に待ち受け画面を表示し（ステップＳ１）、モードダイヤル１０２およびキーボード１０４を選択されたモードを判別する（ステップＳ２）。ここで、選択されたモードがＣａｍｅｒａ，Ｖｉｅｗ，Ｔｅｌモードのいずれかである場合、制御部２０１は、使用者の認証を行わずに、選択されたモード（Ｃａｍｅｒａ，Ｖｉｅｗ，Ｔｅｌのいずれかのモード）を起動する（ステップＳ３）。
【００２８】
これに対し、選択されたモードがＰＤＡモードである場合（ステップＳ２）、制御部２０１は、キーボード１０４を介して使用者認証のための入力情報を入力する（ステップＳ４）。ここで、使用者認証のための入力情報とは、例えば４桁や８桁の数字の組み合わせによるパスワードである。しかし、これに限定されることはなく、本装置と別途のＩＤカードに使用者情報を書き込んでおき、ＩＤカードの情報を読み込ませるようにしてもよい。この使用者情報が入力されると、認証処理部２０３は、入力された使用者情報と記憶装置２１２に記憶されている認証データとに基づいて、使用者が適正者であるかの認証を行う。この認証結果は、制御部２０１に送られる。
【００２９】
次いで、制御部２０１は、認証処理部２０３の認証結果に基づいて認証が成功したか否かを判定する（ステップＳ５）。ここで、認証が成功した場合、制御部２０１は使用者が適正者であると判断してＰＤＡモードを起動する（ステップＳ６）。認証処理が失敗した場合は、制御部２０１は、入力情報の入力回数がN回より少ないか否かを判定する（ステップＳ７）。これは使用者が適正者であった場合でも、使用者が使用者情報の入力をミスする可能性があるからであり、例えばN＝３とし、３回までは使用者情報の入力を許可し、入力回数が３回未満の場合は使用者情報が誤っている旨を液晶パネル１０５に表示した後、再度ステップＳ４において入力情報の入力を行う。上記ステップＳ７で入力回数がＮ以上であると判定された場合、制御部２０１は、例えば警告音、警告表示などで使用者に警告を与え、ＰＤＡモードを起動せずに、ステップＳ１の待ち受け画面に戻る。
【００３０】
このように、本実施形態では、選択されたモードがＣａｍｅｒａ，Ｖｉｅｗ，Ｔｅｌのいずれかのモードである場合、使用者の認証を行わずに、選択されたモード（Ｃａｍｅｒａ，Ｖｉｅｗ，Ｔｅｌのいずれかのモード）を起動し、選択されたモードがＰＤＡモードである場合、使用者の認証を行い、その認証結果に応じてＰＤＡモードを起動するので、Ｃａｍｅｒａモード（カメラ機能）を使用する場合には、使用者が適正者であるかの認証を行うことなく撮影が可能になり、カメラ機能を簡便に使用することができる。その結果、認証に手間が掛かり、シャッタチャンスを逃すなどということを回避することができる。
【００３１】
また、ＰＤＡモードが選択されている場合、使用者の認証を行うことによって、所有者のスケジュール管理、個人の住所、電話番号、電子メールアドレスなどを他人に見られることを未然に防止することができる。
【００３２】
（第２実施形態）
次に、本発明の第２実施形態について図７を参照しながら説明する。図７は本発明の第２実施形態に係る携帯型情報端末装置の動作の手順を示すフローチャートである。本実施形態は、上記第１実施形態と同じ構成を有し、ここでは、その説明は省略する。また、以下の説明においては、上記第１実施形態と同じ符号を用いるものとする。
【００３３】
上記第１実施形態では、ＰＤＡモードが選択された場合に、使用者の認証を行うようにしているが、このＰＤＡモード（図３に示す）の機能のうち、電卓とインターネット接続機能は、個人情報の保護の点では、所有者以外の使用者すなわち他人に使用されても特に問題はない。
【００３４】
そこで、本実施形態では、上記電卓とインターネット接続機能の２つの機能を利用可能機能とし、残りの機能（アドレス帳機能、電子メールの送受信機能、情報ファイル機能など）を保護機能として、この保護機能が選択された場合に使用者の認証を行う。
【００３５】
制御部２０１は、図７に示すように、電源スイッチ１０１で電源が投入されると、液晶パネル１０５に待ち受け画面を表示し（ステップＳ１１）、モードダイヤル１０２およびキーボード１０４を選択されたモードを判別する（ステップＳ１２）。ここで、選択されたモードがＣａｍｅｒａ，Ｖｉｅｗ，Ｔｅｌモードのいずれかである場合、制御部２０１は、使用者の認証を行わずに、選択されたモード（Ｃａｍｅｒａ，Ｖｉｅｗ，Ｔｅｌのいずれかのモード）を起動する（ステップＳ１３）。
【００３６】
これに対し、選択されたモードがＰＤＡモードである場合（ステップＳ１２）、制御部２０１は、液晶パネル１０５にＰＤＡモードで使用可能な機能を一覧表示し、この一覧表示された機能の中から選択された機能を判別する。この機能の選択および決定には、キーボード１０４や十字キー１１０が用いられる。そして、選択された機能が上記利用可能機能（電卓とインターネット接続機能）である場合、制御部２０１は、ＰＤＡモードを起動する（ステップＳ１５）。
【００３７】
選択された機能が保護機能（アドレス帳機能、電子メールの送受信機能、情報ファイル機能など）である場合、制御部２０１は、キーボード１０４を介して使用者認証のための入力情報を入力する（ステップＳ１６）。ここで、使用者認証のための入力情報は、上記第１実施形態と同じである。この使用者情報が入力されると、認証処理部２０３は、入力された使用者情報と記憶装置２１２に記憶されている認証データとに基づいて、使用者が適正者であるかの認証を行う。この認証結果は、制御部２０１に送られる。
【００３８】
次いで、制御部２０１は、認証処理部２０３の認証結果に基づいて認証が成功したか否かを判定する（ステップＳ１７）。ここで、認証が成功した場合、制御部２０１は使用者が適正者であると判断してＰＤＡモードを起動する（ステップＳ１５）。認証処理が失敗した場合は、制御部２０１は、入力情報の入力回数がN回より少ないか否かを判定する（ステップＳ１８）。ここで、入力回数がＮ以上であると判定された場合、制御部２０１は、例えば警告音、警告表示などで使用者に警告を与え、ＰＤＡモードを起動せずに、ステップＳ１１の待ち受け画面に戻る。
【００３９】
このように、本実施形態では、ＰＤＡモードの機能のうち、所有者以外の第三者から保護すべき情報を扱う保護機能を使用する場合には、使用者の認証を行い、第三者の使用に対して制限を課すことができ、その他の機能すなわち利用可能機能を使用する場合には、認証を行うことなく使用可能になるので、所有者および所有者以外の使用者がその機能を簡単に使用することができる。
【００４０】
なお、本発明の目的は、前述した各実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００４１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００４２】
以下に、本発明の実施態様を列挙する。
【００４３】
［実施態様１］  被写体を撮像するための撮像手段を有する携帯型情報端末装置であって、前記撮像手段の機能を用いる第１のモードと、前記第１の機能とは異なる機能を用いる第２のモードとのいずれか一方を選択するモード選択手段と、使用者が適正者であるかを認証する認証手段と、前記モード選択手段により前記第１のモードが選択された場合、前記認証手段を動作させず、前記第２のモードが選択された場合、前記認証手段を動作させるように制御する制御手段と
を備えることを特徴とする携帯型情報端末装置。
【００４４】
［実施態様２］  前記第１のモードは、前記撮像手段によって被写体の撮像を可能とするモードであることを特徴とする実施態様１記載の携帯型情報端末装置。
【００４５】
［実施態様３］  前記撮像手段によって撮像された画像を再生する再生モードを有し、前記制御手段は、前記選択手段によって前記再生モードが選択された場合、前記認証手段を動作させないことを特徴とする実施態様１記載の携帯型情報端末装置。
【００４６】
［実施態様４］  外部と通話を行う電話モードを有し、前記制御手段は、前記選択手段によって前記電話モードが選択された場合、前記認証手段を動作させないことを特徴とする実施態様１記載の携帯型情報端末装置。
【００４７】
［実施態様５］  前記第２のモードは、所有者のスケジュール管理を行う機能、個人の住所・電話番号・電子メールアドレスなどの登録を行う機能、電子メールの送受信機能、テキスト文書の作成機能、テーマ別、目的別に関連情報をまとめて編集可能な情報ファイル機能、電卓機能、インターネット接続機能のうち少なくとも一つの機能を有するモードであることを特徴とする実施態様１記載の携帯型情報端末装置。
【００４８】
［実施態様６］  被写体を撮像するための撮像手段および使用者が適正者であるかを認証する認証手段を有する携帯型情報端末装置の制御方法であって、前記撮像手段の機能を用いる第１のモードと、前記第１の機能とは異なる機能を用いる第２のモードとのいずれか一方を選択するモード選択工程と、前記モード選択工程により前記第１のモードが選択された場合、前記認証手段を動作させず、前記第２のモードが選択された場合、前記認証手段を動作させるように制御する制御工程とを有することを特徴とする携帯型情報端末装置の制御方法。
【００４９】
［実施態様７］  前記第１のモードは、前記撮像手段によって被写体の撮像を可能とするモードであることを特徴とする実施態様６記載の携帯型情報端末装置の制御方法。
【００５０】
［実施態様８］  前記撮像手段によって撮像された画像を再生する再生モードを有し、前記制御工程では、前記選択工程によって前記再生モードが選択された場合、前記認証手段を動作させないことを特徴とする実施態様６記載の携帯型情報端末装置の制御方法。
【００５１】
［実施態様９］  外部と通話を行う電話モードを有し、前記制御工程では、前記選択工程によって前記電話モードが選択された場合、前記認証手段を動作させないことを特徴とする実施態様６記載の携帯型情報端末装置の制御方法。
【００５２】
［実施態様１０］  前記第２のモードは、所有者のスケジュール管理を行う機能、個人の住所・電話番号・電子メールアドレスなどの登録を行う機能、電子メールの送受信機能、テキスト文書の作成機能、テーマ別、目的別に関連情報をまとめて編集可能な情報ファイル機能、電卓機能、インターネット接続機能のうち少なくとも一つの機能を有するモードであることを特徴とする実施態様６記載の携帯型情報端末装置の制御方法。
【００５３】
［実施態様１１］  被写体を撮像するための撮像手段および使用者が適正者であるかを認証する認証手段を有する携帯型情報端末装置の制御プログラムであって、前記撮像手段の機能を用いる第１のモードと、前記第１の機能とは異なる機能を用いる第２のモードとのいずれか一方を選択するモード選択ステップと、前記モード選択ステップにより前記第１のモードが選択された場合、前記認証手段を動作させず、前記第２のモードが選択された場合、前記認証手段を動作させないように制御する制御ステップと
を有することを特徴とする携帯型情報端末装置の制御プログラム。
【００５４】
［実施態様１２］  実施態様１１記載のプログラムをコンピュータ読み取り可能に格納したことを特徴とする記憶媒体。
【００５５】
【発明の効果】
以上説明したように、本発明によれば、撮像手段の機能を用いる第１のモードと、第１の機能とは異なる機能を用いる第２のモードとのうち、いずれのモードを使用するかに応じて、第三者の使用に対して制限を課すことができる。例えば、本装置をカメラとして使用する場合、使用者が適正者であるかの認証を行うことなく撮影が可能になり、カメラ機能を簡便に使用することができる。その結果、認証に手間が掛かり、シャッタチャンスを逃すなどということを回避することができる。
【図面の簡単な説明】
【図１】本発明の第１実施形態に係る携帯型情報端末装置の外観斜視図である。
【図２】図１のモードダイヤルの拡大斜視図である。
【図３】図２のモードダイヤルで選択可能なモードのそれぞれの機能を示す図である。
【図４】図１の携帯型情報端末装置の電源オン状態での待ち受け画面の一例を示す図である。
【図５】図１の携帯型情報端末装置の構成を示すブロック図である。
【図６】図１の携帯型情報端末装置の動作手順を示すフローチャートである。
【図７】本発明の第２実施形態に係る携帯型情報端末装置の動作の手順を示すフローチャートである。
【図８】従来の携帯機器（デジタルカメラ付き携帯情報端末）の外観を示す斜視図である。
【図９】図８の携帯機器の構成を示すブロック図である。
【符号の説明】
１  カメラ部
２  操作部
３  ヒンジ部
１０１  電源スイッチ
１０２  モードダイヤル
１０３  シャッタボタン
１０４  キーボード
１０５  液晶パネル
１０６  レシーバ
１０７  マイク
１０８  レンズ
１０９  ストロボ
１１０  十字キー
２００  撮像部
２０１  制御部
２０２  携帯電話部
２０３  認証処理部
２０４  光電変換素子
２０５  画像処理部
２０６，２１０  ＣＰＵ
【図１】
2004194117.tif 000003
【図２】
2004194117.tif 000004
【図３】
2004194117.tif 000005
【図４】
2004194117.tif 000006
【図５】
2004194117.tif 000007
【図６】
2004194117.tif 000008
【図７】
2004194117.tif 000009
【図８】
2004194117.tif 000010
【図９】
2004194117.tif 000011